(57)【要約】【課題】ドリルや鋸による破損行為が行われても、短時間で、サムターン回しや、身体の一部が入るような開口部を設けることができない木製防犯扉を提供することを目的とする。【解決手段】錠部（１１）と、木製防犯扉を構成する第１の木材（２０）と、木製防犯扉を構成する第２の木材（２２）と、第１及び第２の木材に挟み込まれ且つ少なくとも前記第１又は第２の木材と接着されたガラス材（４０）を有し、ガラス材は少なくとも錠部から第１の距離（ｒ）以内の領域を覆うように配置されていることを特徴とする木製防犯扉（１０）。【選択図】図１
2008280702.tif 000002
【特許請求の範囲】
【請求項１】
木製防犯扉であって、
錠部と、
前記木製防犯扉を構成する第１の木材と、
前記木製防犯扉を構成する第２の木材と、
前記第１及び第２の木材に挟み込まれ、少なくとも前記第１又は第２の木材と接着されたガラス材と、
を有することを特徴とする木製防犯扉。
【請求項２】
前記ガラス材は、少なくとも前記錠部から第１の距離以内の領域の一部を覆うように配置されている、請求項１に記載の木製防犯扉。
【請求項３】
前記ガラス材は、前記木製防犯扉の下部から第２の距離以上の領域の一部を覆うように配置されている、請求項１に記載の木製防犯扉。
【請求項４】
前記第１又は第２の木材と前記ガラス材との間に配置された燃焼遅延材を更に有する、請求項２又は３に記載の木製防犯扉。
【請求項５】
木製防犯扉であって、
錠部と、
前記木製防犯扉を構成する第１の木材と、
前記木製防犯扉を構成する第２の木材と、
前記第１及び第２の木材に挟み込まれ、少なくとも前記第１又は第２の木材と接着され、少なくとも前記錠部から第１の距離以内の領域の一部を覆う第１のガラス材と、
前記木製防犯扉を構成する第３の木材と、
前記木製防犯扉を構成する第４の木材と、
前記第３及び第４の木材に挟み込まれ、少なくとも前記第３又は第４の木材と接着され、少なくとも前記木製防犯扉の下部から第２の距離以上の領域の一部を覆うように配置されている第２のガラス材と、
を有することを特徴とする木製防犯扉。
【請求項６】
前記第１及び第２のガラス材の重量はほぼ同じに設定されている、請求項５に記載の木製防犯扉。
【請求項７】
木製防犯扉であって、
錠部と、
前記木製防犯扉を構成する第１の木材と、
前記木製防犯扉を構成する第２の木材と、
前記第１及び第２の木材に挟み込まれたガラス材と、
前記第１又は第２の木材と前記ガラス材との間に配置され、前記ガラス材を前記第１又は第２の木材に接着する燃焼遅延材と、
を有することを特徴とする木製防犯扉。
【請求項８】
前記燃焼遅延材は和紙である、請求項７に記載の木製防犯扉。
【請求項９】
前記第１の距離は５００ｍｍである、請求項１〜８の何れか一項に記載の木製防犯扉。
【請求項１０】
前記第２の距離は５００ｍｍである、請求項１〜９の何れか一項に記載の木製防犯扉。
【発明の詳細な説明】
【技術分野】
【０００１】
本発明は、木製防犯扉に関し、特に住宅、ホテル及び会社等の扉として使用され、防犯性能を有する木製防犯扉に関する。
【背景技術】
【０００２】
金属扉の室外側から金属加工用ドリル等によってドアを貫通する貫通穴を穿設し、貫通穴から工具を挿入して、扉内部のサムターンを回転操作することによって扉を開錠して室内に侵入する、所謂サムターン回しによる犯行が知られている。
【０００３】
そのようなサムターン回しによる犯行を防止するため、金属扉の錠の近傍に、金属ドリル先端部の進行を障害するガラス板とガラス板を固定する固定部材を配置し、簡単に貫通穴を設けられないようにする技術が知られている（例えば、特許文献１及び２）。
【０００４】
【特許文献１】特開２００５−２３７４３号公報（図１）
【特許文献２】特開２００５−２３７５２号公報（図１）
【発明の開示】
【発明が解決しようとする課題】
【０００５】
しかしながら、木製扉の場合には、サムターン回しの他に、扉の錠から少し離れた場所に人の腕が入る程度の穴を穿設して、穴から腕を入れて開錠する方法や、扉の下部を鋸により切断して、扉の下側を捲るようにして人が室内に侵入する方法も考えられ、鍵の近傍だけを補強しても防犯性能が十分であるとはいえなかった。
【０００６】
また、金属扉では、原則として室内側と室外側の金属板の間に空間が存在し、その間にガラス板を固定することとなる。しかしながら、ガラス板は、金属ドリルの先端部を滑らせて、貫通穴が設けられないようにすることができる反面、非常に割れ易いという欠点がある。したがって、金属ドリルで割れて飛び散ったり、金属ドリルの先端部で強引にガラス材を押し込むことによって、ガラス材が金属ドリルの先端部分から退去してしまうと、長時間に割って、ドリル等の機能を妨害し続けることができないという不具合があった。
【０００７】
そこで、本発明では、上記問題点を解消することが可能な木製防犯扉を提供することを目的とする。
【０００８】
また、本発明では、ドリルや鋸による破損行為が行われても、短時間で、サムターン回しや、身体の一部が入るような開口部を設けることができない木製防犯扉を提供することを目的とする。
【課題を解決するための手段】
【０００９】
上記課題を解決するために、本発明に係る木製防犯扉は、錠部と、木製防犯扉を構成する第１の木材と、木製防犯扉を構成する第２の木材と、第１及び第２の木材に挟み込まれ且つ少なくとも前記第１又は第２の木材と接着されたガラス材を有することを特徴とする。
【００１０】
また、本発明に係る木製防犯扉は、錠部と、木製防犯扉を構成する第１の木材と、木製防犯扉を構成する第２の木材と、第１及び第２の木材に挟み込まれ且つ少なくとも第１又は第２の木材と接着され且つ少なくとも錠部から第１の距離以内の領域の一部を覆う第１のガラス材と、木製防犯扉を構成する第３の木材と、木製防犯扉を構成する第４の木材と、第３及び第４の木材に挟み込まれ且つ少なくとも第３又は第４の木材と接着され且つ少なくとも木製防犯扉の下部から第２の距離以上の領域の一部を覆うように配置されている第２のガラス材を有することを特徴とする。
【００１１】
さらに、本発明に係る木製防犯扉は、錠部と、木製防犯扉を構成する第１の木材と、木製防犯扉を構成する第２の木材と、第１及び第２の木材に挟み込まれたガラス材と、第１又は第２の木材とガラス材との間に配置され且つガラス材を第１又は第２の木材に接着する燃焼遅延材を有することを特徴とする。
【発明の効果】
【００１２】
本発明によれば、木製防犯扉を構成する木材でガラス材を挟み込み、ガラス材を木材に接着するように構成したことから、ドリルや鋸による破損行為が行われたとしても、ガラス材が扉内で飛び散ったり、固定部材による固定が外れてしまったりすることがなく、長時間に渡って、破損行為を妨害することが可能となった。また、木製防犯扉を構成する木材でガラス材を挟み込んでいるため、わざわざ、ガラス材を固定するための固定部材を別途用意する必要もなく、安価にガラス材を所定の位置に保持することが可能となった。
【００１３】
また、本発明によれば、錠部に人が手を伸ばして届く第１の距離の範囲以内と、扉の下部をこじ開けて人が侵入することができる最低の距離である第２の距離以上の範囲の一部を、ガラス材によって覆うように構成したので、木製扉であっても、短時間で開錠したり、扉を破壊して進入したりすることを防止することが可能となった。
【００１４】
さらに、本発明によれば、木製防犯扉を構成する木材でガラス材を挟み込み、ガラス材を木材に燃焼遅延材によって接着するように構成したので、長時間に渡って、破損行為を妨害することが可能となった上に、防火扉としての機能をも得ることが可能となった。
【００１５】
さらに、本発明において燃焼遅延材として和紙を利用した場合には、和紙とガラス材とが重なることによって、ガラス材だけよりも、さらに金属ドリルの先端部を滑らせて、貫通穴が設けられないようにできる上に、和紙だけよりも、さらに耐熱効果を発揮するという、防犯及び防火の両面における相乗効果を発揮することが可能となった。
【００１６】
さらに、本発明に係る木製防犯扉では、木材と木材との間にガラス材を挟み込むように構成しているため、木材のみから構成される扉より遮音性能に優れている。これは、木材のみから構成される扉では木材を透過する所定の音域の騒音に対して遮音特性が低下してしまうが、本発明に係る木製防犯扉では、木材を透過する所定の音域の騒音をガラス材が遮音する傾向にあるからと考えられる。
【発明を実施するための最良の形態】
【００１７】
以下図面を参照して、本発明に係る木製防犯扉について説明する。但し、本発明の技術的範囲はそれらの実施の形態に限定されず、特許請求の範囲に記載された発明とその均等物に及ぶ点に留意されたい。
【００１８】
図１は、本発明に係る木製防犯扉の室外側平面の一例を示す図であり、図２は本発明に係る木製防犯扉の室内側平面の一例を示す図である。
【００１９】
図１及び２に示すように、木製防犯扉１０は、扉枠１に、ドアクローザ２、丁番３等を介して開閉自在に取り付けられている。また、木製防犯扉１０は、錠部１１、室外レバーハンドル１２、鍵穴１３、ドアアイ１４、ドアガード１５、サムターン１６、室内レバーハンドル１７等を有している。さらに、ガラス部材４０は、図１及び図２に破線で示す領域に配置されている。
【００２０】
図３は、図１のＡＡ´概略横断面図である。
【００２１】
木製防犯扉１０は、全面が無垢又はベタ芯の扉（扉内に空間が設けられていない）であって、約２．５ｍｍの厚さの室外側化粧合板２０、約４ｍｍの厚さの第１の下地合板２１、約１１ｍｍの厚さの桐の集成材からなる第１の心材２２、約１１ｍｍの厚さの桐の集成材からなる第２の心材２３、約１１ｍｍの厚さの桐の集成材からなる第３の心材２４、約５ｍｍの厚さの第２の下地合板２５、約２．５ｍｍの厚さの室内側化粧合板２６、第１のたて框２７、第２のたて框２８、第１の大手材２９、及び第２の大手材３０、ガラス材４０等から構成される。なお、第１〜第３の心材２２、２３及び２４は、木製防犯扉１０の上下方向では、不図示の上框及び下框によって保持されている。
【００２２】
各種木材（室外側化粧合板２０、第１の下地合板２１、第１の心材２２、第２の心材２３、第３の心材２４、第２の下地合板２５、室内側化粧合板２６、第１のたて框２７、及び第２のたて框２８）は、厚さ約０．２ｍｍの燃焼遅延材としての和紙を含んだ耐火接着材層３１〜３６を介してプレス接着されている。また、耐火接着材としてケイ酸ナトリウムを主成分とする接着材を用いた。なお、各種木材の種類及び厚さは一例であって、これに限定されるものではなく、扉の用途に応じて様々に改変可能である。
【００２３】
図４は、ガラス材の配置方法の一例を示す図である。
【００２４】
図に示すように、ガラス材４０は、第１の下地合板２１にガラス材４０とほぼ同じ大きさの開口部を設け、その開口部に嵌め込む様にして、木製防犯扉１０を構成する室外側化粧合板２０と第１の心材２２との間に挟み込まれている。
【００２５】
ガラス材４０は、第１の下地合板２１と同じ厚さである、厚さ４ｍｍフロート板ガラスを用いた。しかしながら、ガラス材４０は、型板ガラス、すり板ガラス、強化ガラス、耐熱強化ガラス、熱線吸収ガラス、熱線反射ガラス、網入りガラス、又は線入りガラス等を利用することも可能である。
【００２６】
また、図４には示していないが、図３に示すように、ガラス材４０は、燃焼遅延材としての和紙を含んだ耐火接着材層３１によってその全面が室外側化粧合板２０と接着され、燃焼遅延材としての和紙を含んだ耐火接着材層３２によってその全面が第１の心材２２と接着されている。特に、耐火性能を高めたい場合には、ガラス材として、耐熱強化ガラス、熱線吸収ガラス、熱線反射ガラス、網入りガラス、又は線入りガラス等の防火用ガラスを用いることが好ましい。
【００２７】
図１〜図４に示した本発明に係る木製防犯扉１０では、ガラス材が存在する場所に、ドリルや鋸を当てても、ドリルや鋸の先端がガラス材により滑って、ドリルや鋸の本来の性能を発揮することができず、貫通穴を穿設したり、板を切り取ったりすることを有効に防止することができる。
【００２８】
特に、本発明に係る木製防犯扉１０では、ガラス材が、扉を構成する木材で挟み込まれ且つ挟み込まれる木材の何れかと、和紙等を介して接着するように構成されているため、ガラス材にドリルや鋸の先端が当たってもガラス材が局所的に割れるだけで、その場所に留まるため、扉内に飛び散ったり、ドリルや鋸の先端部分から退去したりしまわないので、長時間に渡って、ドリルや鋸の機能を妨害し続けることができる。
【００２９】
さらに、本発明に係る木製防犯扉１０では、燃焼遅延材として和紙を利用しており、和紙とガラス材４０とが重なることによって、ガラス材４０だけよりも、さらに金属ドリルの先端部を滑らせて、貫通穴が設けられないようにできる上に、和紙だけよりも、さらに耐熱効果を発揮するという、防犯及び防火の両面における相乗効果を発揮することが可能となった。
【００３０】
次に、図１を用いて、木製扉において予想される破損行為について説明する。
【００３１】
第１に、錠部１１の近傍にドリルで貫通穴を開け、貫通穴から先端がＬ字状に曲がった工具等を入れて、サムターン１６を操作して開錠を行う方法が考えられる（サムターン回し）。
【００３２】
第２に、錠部１１の周囲に人の腕が入るような貫通穴を開け、そこから腕を差し込んで、サムターン１６を操作して開錠を行う方法が考えられる（面材破壊）。この方法では、貫通穴を設けたい箇所の周囲数箇所にドリルで穴を開け、開いた穴を手がかりに、手鋸で木材を切る方法が採用される場合が多い。
【００３３】
第３に、木製扉の下部に、最低限人の頭が入る程度の隙間を開け、その隙間から室内に侵入する方法が考えられる（戸板破り）。この方法では、隙間を空けたい部分にまずドリルで穴を開け、開いた穴を手がかりに、手鋸で木材を切る方法が採用される場合が多い。
【００３４】
なお、上記３つの何れの方法を採用するにしても、統計上、破損行為の開始から５分以内に室内に侵入できないと、室内への侵入を諦めてしまう場合が多いことが知られているため、防犯上は、５分間、室内への侵入を阻めば、その目的の多くを達成したこととなる。
【００３５】
上記のサムターン回し及び面材破壊を防止するためには、最大で、人の腕、特に肘から先がサムターンに届く範囲内に貫通穴を穿設させなければ良い。即ち、図１の場合では、サムターン１６が位置する鍵穴１３を中心として、人の肘から先の長さである半径ｒ（例えば、５００ｍｍ）の範囲内をガラス材で覆えば良い。
【００３６】
また、上記の戸板破りを防止するためには、扉の下部から人の頭の大きさに相当する距離ｓ１（例えば、２５０ｍｍ）より上の部分、扉の左端から人の頭の大きさに相当する距離ｓ２（例えば、２５０ｍｍ）より左側の部分、及び扉の右端から人の頭の大きさに相当する距離ｓ３（例えば、２５０ｍｍ）より右側の部分をガラス材で覆えば良い。
【００３７】
図１〜４に示す木製防犯扉１０では、上述したサムターン１６が位置する鍵穴１３を中心として、半径５００ｍｍ（ｒ）の範囲内と、扉の下部から２５０ｍｍ（ｓ１）より上の部分、扉の左端から５０ｍｍ（ｓ２）より左側の部分、及び扉の右端から２５０ｍｍ（ｓ３）より右側の部分とを、ガラス材４０で覆うように構成したので、サムターン回し、面板破壊及び戸板破りのいずれの破損行為に対しても、ガラス材４０が有効に機能して、少なくとも所定時間、室内への侵入を阻害して、十分な防犯性能を発揮することができる。
【００３８】
図５は、他の木製防犯扉の概略断面図である。
【００３９】
図５において、図３に示す木製防犯扉１０と同じ構成には、同じ番号を付している。図５に示す木製防犯扉１００と図３に示した木製防犯扉１０との差異は、ガラス材４０が木材に挟み込まれる位置が違う点である。
【００４０】
木製防犯扉１００では、所定部分をくり貫いた第１の心材１０２の所定部分にガラス材４０を嵌め込み、第１の心材１０２と第１の下地合板１０１とでガラス材４０を挟み込むように構成した。なお、ガラス材４０を第１の心材と同じ厚さとするように構成しても良い。
【００４１】
図３の例では、室外側の第１の下地合板２１とガラス材４０を組み合わせるように構成したが、室内側の第２の下地合板２５とガラス材４０とを組み合わせるように構成しても良い。さらに、図５では、室外側の第１の心材１０２にガラス材４０を嵌め込むように構成したが、第２の心材２３又は第３の心材２４にガラス材４０を嵌め込むように構成しても良い。また、ガラス材が、後述するように複数部品に分かれる場合には、例えば一方のガラス材を第１の下地合板と組み合わせ、他方のガラス材を第２の下地合板と組み合わせるように構成しても良い（図１１及び１２参照）。
【００４２】
図６は、更に他の木製防犯扉の一例を示す図である。
【００４３】
図６に示す木製防犯扉１１０において、図１に示す木製防犯扉１０と同じ構成には同じ番号を付している。図１に示す木製防犯扉１０と図６に示す木製防犯扉１１０との差異は、ガラス材が配置されている部分が相違する点のみであり、他の構成は同一である。
【００４４】
木製防犯扉１１０では、図６に示す様に、第１のガラス材１１１は、サムターン１６が位置する鍵穴１３を中心として、半径５００ｍｍの範囲内に配置し、第２のガラス材１１２は、扉の下部から２５０ｍｍ（ｓ１）より上の部分、扉の左端から２５０ｍｍ（ｓ２）より左側の部分、及び扉の右端から２５０ｍｍ（ｓ３）より右側の部分に配置した。したがって、木製防犯扉１１０は、サムターン回し、面板破壊及び戸板破り等の破壊行為に対して、有効な防犯性能を有している。
【００４５】
図７は、更に他の木製防犯扉の一例を示す図である。
【００４６】
図７に示す木製防犯扉１２０において、図１に示す木製防犯扉１０と同じ構成には同じ番号を付している。図１に示す木製防犯扉１０と図７に示す木製防犯扉１２０との差異は、ガラス材が配置されている部分が相違する点のみであり、他の構成は同一である。
【００４７】
木製防犯扉１２０では、図７に示す様に、第１のガラス材１２１、第２のガラス材１２２及び第３のガラス材１２３を配置した。即ち、図７の例は、図１に示すガラス４０を３枚のガラス材１２１、１２２及び１２３で置き換えたものに相当する。
【００４８】
上記３枚のガラス材は、サムターン１６が位置する鍵穴１３を中心として半径５００ｍｍの範囲内、及び扉の下部から２５０ｍｍ（ｓ１）より上の部分、扉の左端から２５０ｍｍ（ｓ２）より左側の部分、及び扉の右端から２５０ｍｍ（ｓ３）より右側の部分を覆うように配置されているので、サムターン回し、面板破壊及び戸板破り等の破壊行為に対して、有効な防犯性能を有している。
【００４９】
図８は、更に他の木製防犯扉の一例を示す図である。
【００５０】
図８に示す木製防犯扉１３０において、図１に示す木製防犯扉１０と同じ構成には同じ番号を付している。図１に示す木製防犯扉１０と図８に示す木製防犯扉１３０との差異は、ガラス材が配置されている部分が相違する点のみであり、他の構成は同一である。
【００５１】
木製防犯扉１３０では、図８に示す様に、第１のガラス材１３１、第２のガラス材１３２、第３のガラス材１３３、第４のガラス材１３４、第５のガラス材１３５及び第６のガラス材１３６を配置した。即ち、図８に示す木製防犯扉１３０の例は、縦長で帯状のガラス材を用いて、所定の範囲を覆うように構成するものである。
【００５２】
上記６枚のガラス材は、サムターン１６が位置する鍵穴１３を中心として半径５００ｍｍの範囲内、及び扉の下部から２５０ｍｍ（ｓ１）より上の部分、扉の左端から２５０ｍｍ（ｓ２）より左側の部分、及び扉の右端から２５０ｍｍ（ｓ３）より右側の部分を覆うように配置されているので、サムターン回し、面板破壊及び戸板破り等の破壊行為に対して、有効な防犯性能を有している。
【００５３】
図９は、更に他の木製防犯扉の一例を示す図である。
【００５４】
図９に示す木製防犯扉１４０において、図１に示す木製防犯扉１０と同じ構成には同じ番号を付している。図１に示す木製防犯扉１０と図９に示す木製防犯扉１４０との差異は、ガラス材が配置されている部分が相違する点のみであり、他の構成は同一である。
【００５５】
木製防犯扉１４０では、図９に示す様に、第１のガラス材１４１〜第９のガラス材１４９を配置した。即ち、図９に示す木製防犯扉１４０の例は、横長で帯状のガラス材を用いて、所定の範囲を覆うように構成するものである。
【００５６】
上記９枚のガラス材は、サムターン１６が位置する鍵穴１３を中心として半径５００ｍｍの範囲内、及び扉の下部から２５０ｍｍ（ｓ１）より上の部分、扉の左端から２５０ｍｍ（ｓ２）より左側の部分、及び扉の右端から２５０ｍｍ（ｓ３）より右側の部分を覆うように配置されているので、サムターン回し、面板破壊及び戸板破り等の破壊行為に対して、有効な防犯性能を有している。
【００５７】
図１０は、更に他の木製防犯扉の一例を示す図である。
【００５８】
図１０に示す木製防犯扉１５０において、図１に示す木製防犯扉１０と同じ構成には同じ番号を付している。図１に示す木製防犯扉１０と図１０に示す木製防犯扉１５０との差異は、ガラス材が配置されている部分が相違する点のみであり、他の構成は同一である。
【００５９】
木製防犯扉１５０では、図１０に示す様に、第１のガラス材１５１は、サムターン１６が位置する鍵穴１３を中心として、半径５００ｍｍの範囲を覆うように配置し、第２及び第３のガラス材１５２及び１５３は、扉の下部から２５０ｍｍ（ｓ１）より上の部分、扉の左端から２５０ｍｍ（ｓ２）より左側の部分、及び扉の右端から２５０ｍｍ（ｓ３）より右側の部分を覆うように配置した。また、第２と第３のガラス材１５２及び１５３の間隔は、２５０ｍｍ以下の距離（ｓ４）となるようにした。即ち、扉の下部に４００ｍｍ×２５０ｍｍ以上の穴１５５が開かないように、ガラス材１５１、１５２及び１５３を配置することが重要である。４００ｍｍ×２５０ｍｍ以上の穴１５５が設けられると、人がそこから扉の内部に侵入することが可能となると言われている。したがって、木製防犯扉１５０は、サムターン回し、面板破壊及び戸板破り等の破壊行為に対して、有効な防犯性能を有している。
【００６０】
図１１は、更に他の木製防犯扉の一例を示す図である。
【００６１】
図１１に示す木製防犯扉１６０において、図１に示す木製防犯扉１０と同じ構成には同じ番号を付している。図１に示す木製防犯扉１０と図１１に示す木製防犯扉１６０との差異は、図１におけるガラス材４０が、２枚のガラス材である第１ガラス材１６２及び第２ガラス材１６１に分割されて、木製防犯扉１６０における異なる位置に配置されている点のみであり、他の構成は同一である。
【００６２】
図１２は、図１１のＢＢ´概略縦断面図である。
【００６３】
木製防犯扉１６０は、図に示すように、約２．５ｍｍの厚さの室外側化粧合板２０、約４ｍｍの厚さの第１の下地合板２１、約１１ｍｍの厚さの桐の集成材からなる第１の心材２２、約１１ｍｍの厚さの桐の集成材からなる第２の心材２３、約１１ｍｍの厚さの桐の集成材からなる第３の心材２４、約５ｍｍの厚さの第２の下地合板２５、約２．５ｍｍの厚さの室内側化粧合板２６、上框５０、下框５１、第１ガラス材１６０等から構成される。なお、第１〜第３の心材２２、２３及び２４は、木製防犯扉１０の左右方向では、第１のたて框２７、第２のたて框２８、第１の大手材２９、及び第２の大手材３０によって、図３に示すように保持されている。
【００６４】
各種木材（室外側化粧合板２０、第１の下地合板２１、第１の心材２２、第２の心材２３、第３の心材２４、第２の下地合板２５、室内側化粧合板２６、上框５０、及び下框５１）は、厚さ約０．２ｍｍの燃焼遅延材としての和紙を含んだ耐火接着材層３１〜３６を介してプレス接着されている。なお、各種木材の種類及び厚さは一例であって、これに限定されるものではなく、扉の用途に応じて様々に改変可能である。
【００６５】
図１２に示すように、第１ガラス材１６２は、第２の下地合板２５と組み合わせて、室内側化粧合板２６と第３の心材２４との間に挟み込むように配置し、第２ガラス材１６１は、第１の下地合板２１と組み合わせて、室外側化粧合板２０と第１の心材２２との間に挟み込むように配置した。このように、第１のガラス材１６２と第２のガラス材１６１を木製防犯扉１６０の前面側（室内側）と裏面側（室外側）に振り分けて配置することによって、木製防犯扉１６０の全体の重量バランスを均等に保持することが可能となる。ガラス材は、木材と比較して比重が高いため、図１〜図３に示す木製防犯扉１０のように、一方の面側にガラス材４０を全て配置すると、重量バランスが崩れて、長時間の使用によって扉が反ったり、傾いたりする原因となる可能性がある。したがって、第１のガラス材１６２と第２のガラス材１６１との重量はできるだけ同じ重量となるようにすることが好ましい。なお、図１１及び１２の例では、２枚に分割したガラス材を用いたが、３枚以上に分割したガラス材を扉の異なった位置に配置して、重量バランスを取ることもできる。
【００６６】
図１３は、更に他の木製防犯扉の一例を示す図である。
【００６７】
図１３に示す木製防犯扉２００において、図１に示す木製防犯扉１０と同じ構成には同じ番号を付している。図１に示す木製防犯扉１０と図１１に示す木製防犯扉２００との差異は、木製防犯扉２００が、第２の錠部１８とそれに応じた第２の鍵穴１９及び第２のサムターン（図示せず）を有している点と、それに応じてガラス材が配置されている部分が相違する点のみであり、他の構成は同一である。１枚のガラス材２０１が、サムターン１６が位置する鍵穴１３を中心として半径５００ｍｍの範囲内、第２のサムターンが位置する第２の鍵穴１９を中心として半径５００ｍｍの範囲内、及び扉の下部から２５０ｍｍ（ｓ１）より上の部分、扉の左端から２５０ｍｍ（ｓ２）より左側の部分、及び扉の右端から２５０ｍｍ（ｓ３）より右側の部分を覆うように配置されている。したがって、２つの錠部へのサムターン回し、面板破壊及び戸板破り等の破壊行為に対して、有効な防犯性能を有している。
【図面の簡単な説明】
【００６８】
【図１】本発明に係る木製防犯扉の室外側平面の一例を示す図である。
【図２】図１に示す木製防犯扉の室内側平面の一例を示す図である。
【図３】図１に示す木製防犯扉の概略横断面図である。
【図４】ガラス材の配置方法の一例を示す図である。
【図５】他の木製防犯扉の概略断面図である。
【図６】更に他の木製防犯扉の一例を示す図である。
【図７】更に他の木製防犯扉の一例を示す図である。
【図８】更に他の木製防犯扉の一例を示す図である。
【図９】更に他の木製防犯扉の一例を示す図である。
【図１０】更に他の木製防犯扉の一例を示す図である。
【図１１】更に他の木製防犯扉の一例を示す図である。
【図１２】図１１に示す木製防犯扉の概略縦断面図である。
【図１３】更に他の木製防犯扉の一例を示す図である。
【符号の説明】
【００６９】
１０、１００、１１０、１２０、１３０、１４０、１５０、１６０、２００    木製防犯扉
１１、１８    錠部
１３、１９    鍵穴
２０    室外側化粧合板
２１    第１の下地合板
２２、２３、２４    心材
２５    第２の下地合板
２６    室内側化粧合板
４０、１１１、１１２、１２１〜１２３、１３１〜１３６、１４１〜１４９、１５１〜１５３、１６１、１６２、２０１    ガラス材
【図１】
2008280702.tif 000003
【図２】
2008280702.tif 000004
【図３】
2008280702.tif 000005
【図４】
2008280702.tif 000006
【図５】
2008280702.tif 000007
【図６】
2008280702.tif 000008
【図７】
2008280702.tif 000009
【図８】
2008280702.tif 000010
【図９】
2008280702.tif 000011
【図１０】
2008280702.tif 000012
【図１１】
2008280702.tif 000013
【図１２】
2008280702.tif 000014
【図１３】
2008280702.tif 000015